(57)【要約】　　　（修正有）【課題】ＡＭ及びＰＡＭステレオ放送において、右側チャンネルと左側チャンネルの分離度を上げる。【解決手段】インバータによる発振回路（Ａ）で＋−の搬送波を生成し、ＰＮＰ型トランジスタ（１１）及びＮＰＮ型トランジスタ（１６）で右側チャンネルと左側チャンネルを各々変調増幅して送信する。受信機側では平衡検波を用いる。【選択図】　図１
2004007363.tif 000002
【特許請求の範囲】
【請求項１】
ＡＭステレオの放送を聞くために搬送波発振回路にインバータ（Ａ）を用いトランジスター（１１）、トランジスター（１６）でＡＭ変調して送信する送信機に関する。
【請求項２】
ＡＭステレオの放送を聞くために搬送波発振回路にインバータ（Ａ）を用いトランジスター（５６）、トランジスター（５７）でＡＭ変調して送信する送信機に関する。
【請求項３】
ＡＭステレオの放送を聞くために搬送波発振回路にインバータ（Ａ）を用いＪ−ＦＥＴ（７３）、Ｊ−ＦＥＴ（７５）でＡＭ変調して送信する送信機に関する。
【請求項４】
インバータ（Ａ）の電圧も−を送出される方をトランジスター（１１）とし、＋を送出される方をトランジスター（１６）にする請求項１の記載のＡＭステレオ、ＰＡＭステレオ放送である。
【請求項５】
インバータ（Ａ）の電圧も−を送出される方をトランジスター（５６）とし、＋を送出される方をトランジスター（５７）にする請求項２の記載のＡＭステレオ、ＰＡＭステレオ放送である。
【請求書６】インバータ（Ａ）の電圧も−を送出される方をＪ−ＦＥＴ（７３）とし、＋を送出される方をＪ−ＦＥＴ（７５）にする請求項３の記載のＡＭステレオ、ＰＡＭステレオ放送である。
【請求書７】ＡＭ受信機にダイオード２個使った両波検波にしたＰＡＭ、ＡＭステレオ受信機に関する。
【請求書８】ＡＭ受信機にダイオード替りに２重平衡検波回路を用いたＰＡＭ、ＡＭステレオ受信機に関する。
【発明の詳細な説明】
【０００１】
【発明の属する技術分野】
本発明は、ＡＭラジオのステレオ放送でいままでの変調方法のＡＭ変調と異なったＡＭ変調し、ＡＭ放送が聞ける。その上ステレオの右チャンネルと左チャンネルの分離度を向上してステレオ放送が聞こえる。受信機と送信機に関する。
【０００２】
【従来の技術】
従来のＡＭステレオ放送は、右チャンネルと左チャンネルの分離度が悪かった。
【０００３】
【発明が解決しようとする課題】
従来のＡＭラジオにおける放送信号の変調方法をＡＭながらかえることをして上記目的の達成を図った。
【０００４】
【課題を解決するための手段】
上記目的を達成するために音楽演奏、音声等の音をスタジオで右チャンネル、左チャンネルの音を右マイク、左マイクで集音させる。それから音声の強弱を左、右のマイクで電気信号の大小に変換した後、右、左チャンネル電気信号、それと録音の音楽を同じようにして、右、左チャンネルの電気信号を２つのオペアンプで一方は反転、もう一方は非反転増幅して変調できる位の大きさに増幅を行います。
これをインバータで発生する搬送波に図１、図１７、図２２のような変調回路で変調してさらに電力増幅回路で増幅し、アンテナに給電し、無線放送します。変調回路はコレクタから仮に８００［ｋＨｚ］インバータをＡＭ変調するための電源として用いるものとエミッタから仮に８００［ｋＨｚ］インバータをＡＭ変調するための電源として用いるものが考えられる。それと増幅素子に図１のようなトランジスターと図２２のようなＪ−ＦＥＴを用いるが考えられるがそれは詳しいことは後記することにし、まず変調器は普通用いられているトランジスター増幅回路で電圧分圧バイアス回路で常時増幅されるように音声入力、バイアス入力も加わっていますが、インバータを使用している関係上増幅されたり、されなかったり、出力はどうかというと搬送波は入力に比例して大きくなったり、小さくなったりしてＡＭ変調されるのです。入力も２つあるので搬送波−側と搬送波＋側の２つのＡＭ変調ができる。
【０００５】
以上のように構成されたＡＭ及びＰＡＭ無線ステレオ、送信機、受信機で送信機の概要に入って説明しましたが、次の受信機について普通のＡＭラジオでブロック図でブロック図１２の中に示す。中間周波トランスで最終段でトランスから０［Ｖ］タップを降ろしてからダイオード復調回路を構成するに図１２になるように中間周波トランスと２つのダイオードを接続しなければならない。そして、図１２の指示点ｎは右チャンネル音であり、指示点ｌは左チャンネル音である。それをオペアンプで電力増幅して左右スピーカーを駆動させている。それから今１つテレビジョンの技術を使用してみる。これは図１３、改訂版入門カラーテレビ、著者直川一也、発行者学校法人電機大学、ＩＳＢＮ４−５０１−３１８１０４Ｃ−３０５５、１９９６年２月２日、第９版１刷発行１３３ページ図７、１２、２重平衡形ＩＣ検波回路である。
この２つの出力を取り出して、左右２つのオペアンプを駆動させて左、右スピーカーを鳴らす。このような回路でスタジオ演奏された音楽が再生できる。それから図１で示される変調器で図２の右マイク入力電圧を非反転オペアンプで増幅して電力増幅回路で電力増幅させて出力させて電磁波になり、それを図１２のＡＭラジオ受信機で復調した時の図１５の電圧波形になることから電圧の大きさは別にして一致していることから、又図６の左マイク入力電圧を反転アンプで増幅して搬送波に乗せて電力増幅回路で電力増幅させて出力させて電磁波になり、それを図１２のＡＭラジオ受信機で復調した時の図１６の電圧波形になることから電圧の大きさは別にして一致していることから確かにＡＭラジオステレオ放送が確実に施行されていることがわかる。更に図１７、図２２の変調器も同様に一致することがわかる。
【０００６】
【発明の実施の形態】
発明の実施の形態を実施例に基づき図面を参照して説明する図１に右マイク２と左マイク３を設置し右非反転オペアンプ４と左反転オペアンプ５で右チャンネル、左チャンネルの音を増幅します。右チャンネルとＲチャンネルと同じで、左チャンネルがＬチャンネルと同じものである。そこで−側Ｒチャンネル増幅変調を行う。それはトランジスター１１で行う。そして−側とは搬送波の−側のことを言っている。トランジスター１１には増幅を行うためにバイアス電圧を発生させます。
このときトランジスター１１がＰＮＰ形であるならばトランジスター１６はＮＰＮ形でなければならない。そして右結合コンデンサ６と左結合コンデンサ７から音声信号だけ取り出し、バイアス抵抗８とバイアス抵抗９を使って、バイアスをかけて増幅させる。図４の指示点ｃ、電圧はバイアス電圧と異なり、使用しているトランジスターのエミッタとベースの間の電圧でそれがトランジスター１１のベースにかかっている。この際、充分大きな音声信号でも過変調過増幅にならないように先のバイアス抵抗８とバイアス抵抗９の値を決定しなければならない。
トランジスター１１の増幅の前のマイク電圧を図２、ａ点の電圧とすると図１の非反転オペアンプの利得は２０［ｄＢ］になります。それから−側Ｒチャンネ
ルの増幅度を決定する。式で示すと
【数１】Ｇ＝βＲｌ／（ｈｉｅ１＋βＲｅ）になります。【数２】β≒ｈｆｅ１で直流増幅度に当たり、【数３】ｈｉｅ１＝０．０２６×ｈｆｅ１／Ｉｅでｈｉｅ１は小信号入力インピーダンスを示している。Ｉｅはエミッタ電流です。この図１の回路ではＲｌはコレクタ抵抗１２とトランス２１とコンデンサー２２介して、電力増幅回路Ｂの入力インピーダンスと並列接続された。
合成抵抗で決める抵抗が増幅度を決定する抵抗Ｒｌになります。Ｒｅエミッタ抵抗１０でバイアスがかかると増幅される抵抗です。ダイオード１３は−側Ｒチャンネル、トランジスター１１の保護のためのものである。今仮に８００［ｋＨｚ］インバータＡで図１で指示点ｇに−側Ｒチャンネル増幅変調回路の−１２［Ｖ］が発生する。別に−１２［Ｖ］固執する必要はありませんが、−側Ｒチャンネルの電源になり、図７の指示点ｅの電圧が電力増幅回路Ｂで増幅され図１０あるいは図１１で見る指示点ｉ点出力−側Ｒチャンネル変調波を図１０の場合は電力増幅回路Ｂが反転増幅器の場合、図１１は電力増幅回路Ｂが非反転増幅回路の場合ですが、変調波をアンテナ２３で空間に送出させる。
【０００７】
次に図１に＋側Ｌチャンネル増幅を行う。左マイク３と反転オペアンプ５で左チャンネルの音の増幅を行います。この時の反転オペアンプ５の利得は２０［ｄＢ］です。
図８の指示点ｄ電圧はＲチャンネル増幅時のときと同じバイアス抵抗と異なり使用している。トランジスターのエミッタとベース間の電圧で図で示すと図８です。充分な大きな音声信号電圧でも過増幅、過変調にならないように先のバイアス抵抗１８とバイアス抵抗１９を決定する。そして、＋Ｌチャンネルの増幅度
を決定する。増幅度の方は文番号
【０００６】文と同じになります。それはコレクタ抵抗１５とトランス２１とコンデンサー２２を介して電力増幅回路Ｂの入力インピーダンスと並列接続された。合成抵抗で決める抵抗が増幅度を決定する＋Ｌチャンネル増幅器のＲｌになります。Ｒｅエミッタ抵抗１７にバイアスがかかると増幅させるための抵抗です。そしてダイオード１４は＋Ｌチャンネルトランジスター１６の保護のもので用いても用いなくてもどちられもかまいません。今仮に８００［ｋＨｚ］インバータＡ、図１に指示点ｈに＋Ｌチャンネル増幅変調回路の＋１２［Ｖ］が発生する。電圧は１２［Ｖ］と固執する必要はありません。＋Ｌチャンネルの電源になり、図１の指示点ｆの電圧が電力増幅回路Ｂで増幅され図１０でみる指示点ｉの出力電圧＋側Ｌチャンネル変調波でアンテナ２３で空間に放出される。
【０００８】
図１７に示される実施例では右マイク４７で音声信号から電気信号図２の指示点ａのような電圧波形になりますが、それを非反転オペアンプ４８で増幅します。それを結合コンデンサ５０で音声信号だけにし、それにバイアス抵抗４９、バイアス抵抗５１でバイアス電圧がかかった状態で−側Ｒチャンネル増幅をトランジスター５６で増幅します。
指示点ｊ点の電圧はトランジスター５６のエミッタ抵抗５２が発生がする電圧が２［Ｖ］で後の残りがトランジスター５６のエミッタとベースの間の電圧になります。その電圧波形を増幅するための出力抵抗Ｒｌがトランス４４で結合された電力増幅回路Ｂの入力インピーダンスになります。【数１】のエミッタ抵抗Ｒｅ５２になります。そして、増幅されるための抵抗になっています。
ダイオード５３は−Ｒ側チャンネルはトランジスター５６の保護のためのものである。また仮に８００［ｋＨｚ］インバータＡは図１７で指示点ｍに図１のように増幅されているため出力波形は図１９、ｍ点の電圧波形になります。これを電力増幅回路Ｂで増幅して、電力増幅回路Ｂが反転増幅器の場合は出力は図１０になり、非反転増幅器の場合は図１１の出力電圧になり図１７でみる指示点ｐの出力電圧−Ｒチャンネル変調波でアンテナ５４に放出されます。
【０００９】
そして、＋側Ｌチャンネルには図１７に示される実施例では左マイク４６で音声信号から電気信号図６のような電圧波形になりますが、それを反転オペアンプ６２で増幅し、それを結合コンデンサ６１で音声信号だけを取り出し、それにバイアス抵抗６０、バイアス抵抗６３でバイアス電圧がかかった状態で−Ｒチャンネルをトランジスター５７で増幅します。指示点ｋの電圧はトランジスター５７のエミッタ抵抗Ｒｅ５８が発生する電圧が２［Ｖ］で後の残り電圧がトランジスター５７のエミッタとベース間の電圧になります。その電圧波形を増幅するための出力抵抗Ｒｌがトランス４４で結合された電力増幅回路Ｂの入力インピーダン
スになります。【数１】のエミッタ抵抗Ｒｅ５８になります。そして、増幅されるための抵抗になっています
また仮に８００［ｋＨｚ］インバータＡは図１７で指示点Ｏに図１のように増幅されているため出力波形は図１９、ｍ点の電圧波形になります。これを電力増幅回路Ｂで増幅して図１７でみる指示点Ｐの出力電圧＋Ｌチャンネル変調波でアンテナ５４に放出されます。
【００１０】
図２２で示される実施例ではスタジオ６５、右マイク６６、左マイク６７、右非反転オペアンプ６８、左反転オペアンプ８２、右結合コンデンサ６９、左結合コンデンサ８０、−Ｒ側変調増幅回路のＪ−ＦＥＴ７４を使用した回路で図２２指示点ｕの電圧はＪ−ＦＥＴ７４のソース電圧を３［Ｖ］とすると後の残りの電圧がソースとゲート間の電圧になります。
そのような電圧になるようにバイアス電圧を−Ｒ側チャンネルは増幅の時は抵抗７０、抵抗７１とソース抵抗７２でかけて増幅し、その出力は図２２のｒ点で図２４がｒ点の出力電圧です。また図２２指示点ｔの電圧はＪ−ＦＥＴ７６のソース電圧を３［Ｖ］とすると後の残りの電圧がソースとゲート間の電圧になります。
そのような電圧になるようにバイアス電圧を＋Ｌ側チャンネルは増幅の時は抵抗７９、抵抗８１とソース抵抗７７でかけて増幅しその出力は図２２のｓ点で図２６がｓ点の出力電圧になります。電圧利得ＡＧとすると【数４】ＡＧ＝ｇｍＺｏでＺｏはトランス７４で結合された電力増幅回路Ｂの入力インピーダンスになります。これは−Ｒ側チャンネル、＋Ｌ側チャンネルと同じです。その結果、図２４ｒ点の出力電圧と図２６ｓ点の出力電圧を電力増幅回路Ｂで図１０あるいは図１１の変調波に増幅され、アンテナ６４で空間に放出する。
【００１１】
次に送信機の電源について言うとインバータＡと電力増幅回路Ｂ、図１、図１７、図２２の−側Ｒチャンネル、＋Ｌチャンネルのバイアス＋１２［Ｖ］、−１２［Ｖ］の電圧発生源にならなければならない。そしてその仮に＋１２［Ｖ］、−１２［Ｖ］は出力の大小に問わずいつも数ｍＶも狂わず一定でなければならないし、この送信機の性能に関与している。
【００１２】
図１２で示される実施例でブロック図で表す。高周波増幅回路Ｅにアンテナ２４、バーアンテナ使用で送信機よりの変調波を増幅させてスーパーヘテロダイン受信機にするためミクサＦを用意し、局部発信回路Ｉで４５５ｋＨｚの中間周波の電力を中間周波増幅回路Ｇで得て、その出力をＩＦＴトランス２５で復調しますが、図１２で示す接続の仕方をするとダイオード２６、ダイオード２７、コンデンサ２８、抵抗３０、抵抗３１、コンデンサ３３、コンデンサ３４で包絡線検波、復調する。
ここで図１０、ｑ、ｐ、ｉ点の電圧波形が電力増幅回路Ｂが反転増幅器でその時、図１２の指示点ｎが右チャンネル、Ｒチャンネルの音であり、指示点ｌが左チャンネル、Ｌチャンネルの音である。もし電力増幅回路Ｂが非反転増幅器であるなら図１２の指示点ｎが左チャンネルの音になり、指示点ｌが右チャンネルの音になる。このような受信機によってスタジオ１、スタジオ４５、スタジオ６５の指示点ａと指示点ｂの音が正確に再生されるのである。
【００１３】
図１３で示す２重平衡形ＩＣ検波回路で復調するのには中間周波トランスの出力を取り入れて復調すれば放送電力が小さい時も復調できます。
そして、出力であるが指示点ａに対しても指示点ｂに対しても反転しません。出力端子からオペアンプ４０からスピーカー４２で音を再生し、もう一つの出力端子からオペアンプ４１からスピーカー４３で音を再生する。
【００１４】
図では表してはいないものにＡＧＣ回路がある。ＡＧＣ回路については中間周波トランス２５の２次側にもう１つの２次側のコイルを設けて復調し、その電圧を中間周波増幅回路のバイアス回路にフィードバックすればよいと考えられる。
【００１５】
【発明の効果】
本発明は以上説明した通り、受信機でオペアンプ等の増幅装置を使ってスピーカーで放送を聞くことができる。分離度ＬチャンネルとＲチャンネルは高い。それにインバータＡは８００［ｋＨｚ］と仮に用いているが放送局送信機の放送周波数がインバータＡの周波数になる。また電源については電圧は増幅が可能であるなら適度のボルト数でかまわない。このような回路で無理なく安価にステレオ放送が聞ける送信機、受信機である。
【図面の簡単な説明】
【図１】送信機の変調器で、コレクタ側から回路電源を受けて変調を行うタイプの電子回路。
【図２】送信機について右マイク２で発生する右音声信号電圧信号を表した図である。
【図３】送信機についているインバータ８００［ｋＨｚ］の発信回路のｇ点の電圧波形を示した図である。
【図４】送信機の右マイク２で発生した電圧にバイアス電圧を重畳した電圧信号図である。
【図５】送信機についている８００［ｋＨｚ］インバータＡの発振回路ｈ点の電圧波形。
【図６】送信機についている左マイク３で発生する左音声信号を表した図である。
【図７】図４のｃ点の電圧波形を増幅した右チャンネル信号電圧を示した図である。
【図８】送信機についている左マイク３で発生した電圧にバイアス電圧を重畳した電圧信号図である。
【図９】図８のｆ点の電圧波形を増幅した左チャンネル信号電圧を示した図である。
【図１０】送信機でアンテナに結電される電力増幅回路Ｂが反転増幅器の場合の図である。
【図１１】送信機でアンテナに結電される電力増幅回路Ｂが非反転増幅器の場合の図である。
【図１２】受信機でアンテナ２４、バーアンテナで受信した電波を増幅した回路でダイオードと中間トランスの接合の仕方が両波検波する形の図である。
【図１３】受信機の中間周波増幅回路Ｇから中間周波トランスＩＦＴで出力される、電波をＩＣになっている２重平衡形ＩＣ検波回路で検波している図である。
【図１４】２重平衡形ＩＣ検波回路の出力左右オペアンプで鳴らせる位に増幅する図である。
【図１５】図１２で復調された出力電圧ｎ点の電圧波形を表した図である。右チャンネルの音である。
【図１６】図１２で復調された出力電圧ｌ点の電圧波形を表した図である。Ｌチャンネルの音である。
【図１７】送信機の変調器の電源をその変調器のエミック側から受けるタイプの電子回路である。
【図１８】図１７の送信機の右チャンネルの入力電圧ｊ点の電圧波形である。
【図１９】図１７のｊ点の電圧波形を増幅したｍ点の右チャンネル信号電圧を示した図である。
【図２０】図１７の送信機の左チャンネルの入力電圧ｋ点の電圧波形である。
【図２１】図１７のｋ点の電圧波形を増幅したｏ点の左チャンネル信号電圧を示した図である。
【図２２】送信機でソース側から電源を用いるタイプで増幅素子にＪ−ＦＥＴを用いた送信機の回路図、ブロック図。
【図２３】図２２の送信機の右チャンネルの入力電圧ｕ点の電圧波形である。
【図２４】図２２のｕ点の電圧波形を増幅したｒ点の右チャンネル信号電圧を示した図である。
【図２５】図２２の送信機の左チャンネルの入力電圧ｔ点の電圧波形である。
【図２６】図２２のｔ点の電圧波形を増幅したｓ点の左チャンネル信号電圧を示した図である。
【符号の説明】
１、４５、６５　スタジオ
２、４７、６６　右マイク
３、４６、６７　左マイク
４、４８、６８、３６、３７、４０、４１　非反転オペアンプ
５、６２、８２　反転オペアンプ
３８、３９、４２、４３　スピーカー
１３、１４、２６、２７、５３、５９、７３、７８　ダイオード
８、９、１８、１９、４９、５１、６０、６３、７０、７１、８１　バ
イアス抵抗
６、７、３２、３３、５０、６１、６９、８０　結合コンデンサ
２３、２４、５４、６４　アンテナ
２５　中間周波トランス
Ａ　インバータ
Ｂ　電力増幅回路
Ｄ　電源回路
Ｅ　高周波増幅回路
Ｆ　ミクサ
Ｇ　中間周波増幅回路
【図１】
2004007363.tif 000003
【図２】
2004007363.tif 000004
【図３】
2004007363.tif 000005
【図４】
2004007363.tif 000006
【図５】
2004007363.tif 000007
【図６】
2004007363.tif 000008
【図７】
2004007363.tif 000009
【図８】
2004007363.tif 000010
【図９】
2004007363.tif 000011
【図１０】
2004007363.tif 000012
【図１１】
2004007363.tif 000013
【図１２】
2004007363.tif 000014
【図１３】
2004007363.tif 000015
【図１４】
2004007363.tif 000016
【図１５】
2004007363.tif 000017
【図１６】
2004007363.tif 000018
【図１７】
2004007363.tif 000019
【図１８】
2004007363.tif 000020
【図１９】
2004007363.tif 000021
【図２０】
2004007363.tif 000022
【図２１】
2004007363.tif 000023
【図２２】
2004007363.tif 000024
【図２３】
2004007363.tif 000025
【図２４】
2004007363.tif 000026
【図２５】
2004007363.tif 000027
【図２６】
2004007363.tif 000028
【手続補正書】
【提出日】平成14年11月12日(2002.11.12)
【手続補正１】
【補正対象書類名】図面
【補正対象項目名】図１
【補正方法】変更
【補正の内容】
【図１】
2004007363.tif 000029
【手続補正２】
【補正対象書類名】図面
【補正対象項目名】図１７
【補正方法】変更
【補正の内容】
【図１７】
2004007363.tif 000030
【手続補正３】
【補正対象書類名】図面
【補正対象項目名】図２２
【補正方法】変更
【補正の内容】
【図２２】
2004007363.tif 000031
【手続補正４】
【補正対象書類名】明細書
【補正対象項目名】請求項３
【補正方法】変更
【補正の内容】
【請求項３】
ＡＭステレオの放送を聞くために搬送波発振回路にインバータ【Ａ】を用いＪ−ＦＥＴ【７４】、Ｊ−ＦＥＴ【７６】でＡＭ変調して送信する送信機に関する。
【手続補正５】
【補正対象書類名】明細書
【補正対象項目名】請求項６
【補正方法】変更
【補正の内容】
【請求項６】
インバータ【Ａ】の電圧も−を送出される方をＪ−ＦＥＴ【７４】とし、＋を送出される方をＪ−ＦＥＴ【７６】にする請求項３の記載のＡＭステレオ、ＰＡＭステレオ放送である。
【手続補正書】
【提出日】平成15年4月30日(2003.4.30)
【手続補正１】
【補正対象書類名】明細書
【補正対象項目名】全文
【補正方法】変更
【補正の内容】
【発明の詳細な説明】
【特許請求の範囲】
【請求項１】ＰＡＭ及びＡＭステレオの放送を聞くために搬送波発振回路にインバータ（Ａ）を用いトランジスター（１３）、トランジスター（１４）でＡＭ及びＰＡＭ変調して送信する送信機に関する。
【請求項２】ＰＡＭ及びＡＭステレオの放送を聞くために搬送波発振回路にインバータ（Ａ）を用いＪ−ＦＥＴ（４９）、Ｊ−ＦＥＴ（５１）でＡＭ及びＰＡＭ変調して送信する送信機に関する。
【請求項３】ＰＡＭ及びＡＭ受信機にダイオード２個使った両波検波にしたＰＡＭ及びＡＭステレオ受信機に関する。
【発明の詳細な説明】
【０００１】
【発明の属する技術分野】
本発明は、ＡＭラジオのステレオ放送でいままでの変調方法のＡＭ変調と異なったＡＭ変調し、ＡＭ放送が聞ける。その上ステレオの右チャンネルと左チャンネルの分離度を向上してステレオ放送が聞こえる。受信機と送信機に関する。
【０００２】
【従来の技術】
従来のＡＭステレオ放送は、右チャンネルと左チャンネルの分離度が悪かった。
【０００３】
【発明が解決しようとする課題】
従来のＡＭステレオラジオにおける放送信号の変調方法をＡＭながらかえることをして上記目的の達成を図った。
【０００４】
【課題を解決するための手段】
上記目的を達成するために音楽演奏、音声等の音をスタジオで右チャンネル、左チャンネルの音を右マイク、左マイクで集音させる。それから音声の強弱を左、右のマイクで電気信号の大小に変換した後、右、左チャンネル電気信号、それと録音の音楽も同じようにして、右、左チャンネルの電気信号を２つのオペアンプで一方は反転、もう一方は非反転増幅して変調できる位の大きさに増幅を行います。
【０００５】
これをインバータで発生する搬送波に図１、図１５のような変調回路で変調してさらに電力増幅回路で増幅し、アンテナに給電し、無線放送します。
変調回路はエミッタから仮に８００［ｋＨｚ］インバータをＡＭ変調するための電源として用いるものとソースから仮に８００［ｋＨｚ］インバータをＡＭ変調するための電源として用います。それと増幅素子に図１のようなトランジスターと図１５のようなＪ−ＦＥＴを用いる回路があります。詳しいことは後記することにし、まず変調器は普通用いられているトランジスター、Ｊ−ＦＥＴ増幅回路で電圧分圧バイアス回路で常時増幅されるように音声入力、バイアス入力も加わっていますが、インバータを使用している関係上増幅されたり、されなかったり、出力はどうかというと搬送波は入力に比例して大きくなったり、小さくなったりしてＡＭ変調されるのです。入力も２つあるので搬送波−側と搬送波＋側の２つのＡＭ変調ができる。
【０００６】
以上のように構成されたＡＭ及びＰＡＭ無線ステレオ、送信機、受信機で送信機の概要について説明しましたが、次の受信機について普通のＡＭラジオをブロック図１２の中に示す。中間周波トランスで最終段でトランスの２次側に０［Ｖ］タップを降ろしてからダイオード復調回路を構成するに図１２になるように中間周波トランスと２つのダイオードを接続しなければならない。そして、図１２の指示点ｊは右チャンネル音であり、指示点ｋは左チャンネル音である。それをオペアンプで電力増幅して左右スピーカーを駆動させて音を発生させている。
【０００７】
それから図１で示される変調器で図２の右マイク入力電圧を非反転オペアンプで音声信号を増幅して、それを電力増幅回路で電力増幅させて出力させて電磁波になり、それを図１２のＡＭラジオ受信機で復調した時の電圧が図１３の電圧波形になることから電圧の大きさは別にして信号は一致していることから、又図６の左マイク入力電圧を反転オペアンプで増幅して電力増幅回路で電力増幅させて電磁波になり、それを図１２のＡＭラジオ受信機で復調した時の電圧が図１４の電圧波形になることから電圧の大きさは別にして信号が一致していることから、確かにＡＭラジオステレオ放送が確実に施行されていることがわかる。更に図１５の変調器も同様に一致することがわかる。
【０００８】
【発明の実施の形態】
発明の実施の形態を実施例に基づき図面を参照して説明する図１に右マイク２と左マイク３を設置し右非反転オペアンプ４と左反転オペアンプ５で右チャンネル、左チャンネルの音声信号を増幅します。右チャンネルとＲチャンネルと同じで、左チャンネルがＬチャンネルと同じものである。そこで−Ｒ側チャンネル増幅変調を行う。それはトランジスター１３で行う。そして−側とは搬送波の−側のことを言っている。トランジスター１３とトランジスター１４はコンプリメンタリー特性になっています。
【０００９】
図１で右マイク２でマイク電圧を図２指時点ａの電圧とすると図１の非反転オペアンプ４の電圧利得は２０［ｄＢ］になります。それから−Ｒ側変調増幅回路のトランジスター１３を使用した回路で図４指時点ｃの電圧はトランジスター１３のエミッタ電圧を２［Ｖ］とすると音声信号電圧を乗せたバイアス電圧になります。そのような電圧になるようにバイアス電圧を−Ｒ側チャンネルの増幅の時は抵抗８、抵抗９とエミッタ抵抗１１でかけて増幅し、増幅前の電圧波形が図４ｃ点とすると図７が指示点ｃの電圧を変調増幅器で増幅した出力電圧波形、指示点ｇの電圧になります。
【００１０】
この回路は周波数選択増幅回路と呼ばれ、ＬＣ並列共振回路を負荷とする増幅回路が用いらる。ＬＣ並列共振回路の性質ついてであるが、共振角周波数をＷｏとすると
【数１】Ｗｏ＝１／√ＬＣ，その時の共振インピーダンスＲｏ＝Ｚであり【数２】Ｒｏ＝Ｌ／（Ｃｒ）、そして共振特性の鋭さを表す量として【数３】Ｑｏ＝（１／ｒ）×√（Ｌ／Ｃ）＝Ｒ×√（Ｃ／Ｌ）がある。それから【数４】Ｒ＝Ｒｏ＝Ｑｏ２ｒ＝ＷｏＬＱｏ＝Ｑｏ／ＷｏＣとなる。いま【数５】離調度Ｓ＝（Ｗ−Ｗｏ）／Ｗｏのように定義すると。共振インピーダンス【数６】Ｚ＝Ｒｏ／（１＋ｊ２ＱｏＳ）であたえらる。絶対値Ｚが共振インピーダンスＲｏの１／√２となる。周波数をｆ１およびｆ２とすれば共振回路の帯域幅Ｂは，【数７】Ｂ＝ｆ２−ｆ１で与えられ
【数８】２ＱｏＳ＝±１、【数９】Ｓ＝１／±２Ｑｏになる。【数１０】Ｗ＝Ｗｏ（１±（１／２Ｑｏ））であるから、これらの式【数１１】Ｗ１＝２πｆ１，【数１２】Ｗ２＝２πｆ２、【数１３】Ｗｏ＝２πｆｏから、帯域幅Ｂは
【数１４】Ｂ＝ｆｏ／Ｑｏ、が得られる。
【００１１】
ここで、一般の高周波増幅回路の電圧増幅度Ｇですが、単一同調増幅回路が、この回路なので、並列共振回路を負荷とする増幅回路である。等価回路は図ではあ
らわさないが、次の式が成立する。【数１５】Ｇ＝−ｇｍＺＴで表せる。そこで
ＺＴは等価回路の全インピーダンスである。そして【数１６】（１／ＺＴ）＝ｈｏｅ＋（１／Ｚ）＋（１／Ｒｉ）である。ここで言うＺは数６式で表すもので、Ｒｉは入力インピーダンスである。また、共振周波数に対する【数１７】（１／ＺＴ）＝（１／ＲＴｏ）＝ｈｏｅ＋（１／Ｒｏ）＋（１／Ｒｉ），この等価回路のＱはｈｏｅとＲｉが入るため低下し実効的なＱはＱｅとして【数１８】Ｑｅ＝Ｑｏ・ＲＴｏ／Ｒｏとおくと電圧増幅度Ｇは【数１９】Ｇ＝−ｇｍＲＴｏ／（１＋ｊ２ＱｅＳ）となる。
【００１２】
つぎに一側Ｒチャンネルの図１では負荷とする共振インピーダンスＲｏはトランス２２の２次側に並列共振回路があるので共振インピーダンスＲｏはトランス２２の２次側コイルの総巻数ｎ２のインダクタンスＬと、その抵抗ｒとコンデンサー２０の静電容量Ｃで、数２式で求まります。図１の並列共振回路は変成器結合に成っていますので、トランス２２の１次のコイルの総巻数をｎ１とするとＲｏはＲａに成って【数２０】Ｒａ＝（ｎ１２／４ｎ２２）Ｒｏ［Ω］，次に電力増幅回路Ｂの入力インピーダンスＲｉはＲｏと同じく変成器結合なので【数２１】Ｒｂ＝（ｎ１２／４ｎ２２）Ｒｉ［Ω］が求まり、今度はｈｏｅ小信号アドミタンス［Ｓ］を求めて、【数２２】（１／Ｚａ）＝ｈｏｅ＋（１／Ｒａ）＋（１／Ｒｂ）の式から、負荷インピーダンスＺａが求まる。その結果図１の変調増幅回路の電圧増幅度Ｇａはトランスの効率と方形波が正弦波に変化する電力を考えて係数としてＫとして【数２３】Ｇａ＝−ＫｇｍＺａ／（１＋ｊ２ＱｅＳ）が求まる。そしてＱはｈｏｅとＲｂが入るため実効的ＱはＱｅになり【数２４】Ｑｅ＝Ｑｏ×Ｚａ／Ｒａと成る、更に帯域幅Ｂは【数２５】Ｂ＝ｆｏ／Ｑｅなる。
【００１３】
では、前記回路でトランス２２に並列に接続コンデンサ２０を用いず、ＰＡＭ放送にする場合、変調器の電圧増幅度Ｇｂはどうなるかというとトランス２２の２次側の抵抗Ｒ２とすると【数２６】Ｒ１／Ｒ２＝（ｎ１／２）２／ｎ２２という式から【数２７】Ｒ１＝（ｎ１２／４ｎ２２）×Ｒ２［Ω］となり小信号アドミタンス［Ｓ］ｈｏｅの逆数、【数２８】Ｒｃ＝１／ｈｏｅ［Ω］と抵抗Ｒ１［Ω］と並列に負荷抵抗になります。従って、トランスの効率Ｍも考慮して電圧増幅度Ｇｂは【数２９】Ｇｂ＝−Ｍｇｍ（Ｒｃ×Ｒ１）／（Ｒｃ＋Ｒ１）になります。
【００１４】
それからダイオード１２は−側Ｒチャンネル、トランジシター１３の保護のためのものである。今仮に８００［ｋＨｚ］インバータＡで図１で指示点ｅに−側Ｒチャンネル増幅変調回路の−１２［Ｖ］が発生する。別に−１２［Ｖ］に固執する必要はありませんが、−Ｒチャンネルの電源になり、図７の指示点ｇの電圧この変調増幅回路で支持点ｃの電圧波形を増幅させたもので、その支持点ｇの電圧が電力増幅回路Ｂで増幅され、図１０あるいは図１１で見る。指示点ｉ点出力側−Ｒチャンネル変調波を図１０の場合は電力増幅回路Ｂが反転増幅回路の場合、図１１は電力増幅回路Ｂが非反転増幅回路の場合ですが変調波をアンテナ２３で空間に送出させる。
【００１５】
次に図１で左マイク３でマイク電圧を図６、指示点ｂの電圧とすると図１の反転オペアンプ５の電圧利得は２０［ｄＢ］になります。それから＋Ｌ側変調増幅回路のトランジスター１４を使用した回路で。図８の指示点ｄ電圧はトランジスター１４のエミッタ電圧を２［Ｖ］とすると音声信号電圧を乗せたバイアス電圧になります。そのような電圧になるようにバイアス電圧を＋Ｌ側チャンネルの増幅の時は抵抗１８、抵抗１９とエミッタ抵抗１６でかけて増幅し、増幅前の電圧波形が図８ｄ点とすると図９が指示点ｄの電圧を変調増幅器で増幅した出力電圧波形、支持点ｈの電圧になります。
【００１６】
それで充分な大きな音声信号電圧でも過増幅、過変調にならないように先のバイアス抵抗１８とバイアス抵抗１９を決定する。そして、＋Ｌチャンネルの変調器
の電圧増幅度Ｇａの方は文番号
【００１２】文と以下は同じになります。ＰＡＭ
放送の時の電圧増幅度Ｇｂは文番号
【００１３】と同じになります。ダイオード１７は＋Ｌチャンネル、トランジスター１４の保護のもので用いても用いなくてもどちらもかまいません。そして、ダイオードの順方向抵抗は０［Ω］に近い場合以外は用いない方が良いかもしれません。ダイオードの抵抗値が増幅器で負帰還増幅回路のエミッタ抵抗になって直列直列帰還の回路になって増幅度に影響を与えるからです。
そして、今仮に８００［ｋＨｚ］インバータＡ、図１で指示点ｈに＋Ｌチャンネル増幅変調回路の＋１２［Ｖ］が発生する。図９の支持点ｈの電圧はこの変調増幅回路で支持点ｄの電圧波形を増幅させたもので、その支持点ｈの電圧が電力増幅回路Ｂで増幅され、図１０あるいは図１１で見る指示点ｉの出力電圧＋側Ｌチャンネル変調波を図１０の場合は電力増幅回路Ｂが反転増幅回路の場合、図１１は電力増幅回路Ｂが非反転増幅回路の場合ですが変調波をアンテナ２３で空間に放出させます。
【００１７】
図１５で右マイク４１でマイク電圧を図２指示点ａの電圧とすると、図１５の非反転オペアンプ４３の電圧利得は２０［ｄＢ］になります。それから−Ｒ側変調増幅回路のＪ−ＦＥＴ４９はＮチャンネルを使用した回路で。その図１６指示点ｒの電圧はＪ−ＦＥＴ４９のソース電圧３［Ｖ］とすると音声信号電圧を乗せたバイアス電圧になります。そのような電圧になるようにバイアス電圧を−Ｒ側チャンネルの増幅の時は抵抗４５、抵抗４６とソース抵抗４７でかけて増幅し、増幅前の電圧波形が図１６の指示点ｒ点とすると図１７が指示点ｒの電圧を変調増幅器で増幅した出力電圧波形、指示点１の電圧になります。
【００１８】
それで、−側Ｒ側チャンネルの図１５では負荷とするインピーダンスＲｏはトランス５０に並列共振回路があるので共振インピーダンスＲｏはトランス５０の２次側のコイルの総巻数ｎ２インダクタンスＬと、その抵抗ｒとコンデンサー６２の静電容量Ｃで数２式で求まります。図１５の並列共振回路は変成器結合に成っていますのでトランス５０の１次側のコイルの総巻数ｎ１とするとＲｏはＲｆになって【数３０】Ｒｆ＝（ｎ１２／４ｎ２２）×Ｒｏ［Ω］、次に電力増幅回路Ｂの入力インピーダンスはＲｉはＲｏと同じく変成器結合なので【数３１】Ｒｇ＝（ｎ１２／４ｎ２２）×Ｒｉ［Ω］が求まり、今度はｒｄドレイン抵抗［Ω］をもとめて【数３２】（１／Ｚｂ）＝（１／ｒｄ）＋（１／Ｒｆ）＋（１／Ｒｇ）の式から、負荷インピーダンスＺｂが求まる。その結果図１５の変調増幅回路の電圧増幅度Ｇｃは係数としてトランスの効率と方形波が正弦波に変化する電力を考えて係数としてＫとして【数３３】Ｇｃ＝−ＫｇｍＺｂ／（１＋ｊ２ＱｅＳ）求まる。そしてＱはｒｄドレイン抵抗とＲｇが入るため実効的ＱはＱｅになり【数３４】Ｑｅ＝Ｑｏ×Ｚｂ／Ｒｆとなる。更に帯域幅Ｂは【数３５】Ｂ＝ｆｏ／Ｑｅなる。
【００１９】
それでＪ−ＦＥＴでＰＡＭ放送にするためにトランス５０に並列に接続したコンデンサー６２を取りはずした場合の変調電圧増幅度Ｇｄはどうなるかと言うとトランス５０の２次側の抵抗Ｒ２とすると
【数３６】Ｒ１／Ｒ２　＝（ｎ１／２）２／ｎ２２という数式から【数３７】Ｒ１＝（ｎ１２／４ｎ２２）×Ｒ２［Ω］となり、ドレイン抵抗ｒｄとＲ１は並列に負荷抵抗になります。従って、トランスの効率Ｍも考慮して電圧増幅度Ｇｄは【数３８】Ｇｄ＝−Ｍαｇｍ（ｒｄ×Ｒ１）／（ｒｄ＋Ｒ１）になります。
【００２０】
続いて図１５にＪ−ＦＥＴ５１の増幅を行う前の左マイク４２電圧を図６、指示点ｂの電圧にすると反転オペアンプ５７の電圧利得は２０［ｄＢ］です。それから＋Ｌ側の変調増幅回路Ｊ−ＦＥＴ５１はＰチャンネルを使用した回路でその図１８の指示点ｑの電圧はＪ−ＦＥＴ５１のソース電圧３［Ｖ］とする音声信号電圧を乗せたバイアス電圧になります。そのような電圧に成るようにバイアス電圧を＋Ｌ側チャンネルの増幅の時は抵抗５４、抵抗５５とソース抵抗５２でかけて増幅し増幅前の電圧波形が図１８の指示点ｑ点とする図１９が指示点ｑの電圧を変調増幅器で増幅した出力電圧波形、指示点ｎの電圧になります。
【００２１】
＋Ｌチャンネル変調増幅回路の電圧増幅度Ｇｃは文番号
【００１８】と以下は同
じになります。ＰＡＭ放送の時の電圧増幅度Ｇｄは文番号
【００１９】と同じになります。
【００２２】
変調器の電圧増幅度Ｇａ、Ｇｂ及びＧｃ，Ｇｄにするには図１ではバイパスコンデンサー１０の片端をダイオード１２につないでいるのをやめて、片端をトランス２１の２次側の−１２［Ｖ］の端子に接続した方が良いでしょう。同じく図１ではバイパスコンデンサー１５の片端のダイオード１７につないでいるのをやめて、片端をトランス２１の２次側の＋１２［Ｖ］の端子に接続した方が良いでしょう。
図１５でもバイパスコンデンサー５９の片端のダイオード４８につないでいるのをやめてトランス５８の２次側−１２［Ｖ］の端子に接続し、バイパスコンデンサー６０も片端のダイオード５３につないでいるのをやめてトランス５８の２次側の＋１２［Ｖ］の端子に接続した数式どおりの電圧増幅度Ｇａ、Ｇｂ、Ｇｃ，Ｇｄ．になるでしょう。Ｒチャンネルの指示点ｒは増幅されて指示点１の電圧波形になり、Ｌチャンネル指示点ｑ点は増幅されて指示点ｎの電圧波形になります。
それを電力増幅回路Ｂで電力増幅回路Ｂが反転増幅回路の場合は図１０の指示点ｍの電圧波形になり、電力増幅回路Ｂが非反転増幅回路の場合は図１１の指示点ｍの電圧になり、アンテナ６１で変調波になって空間に電磁波になって、放出されます。
【００２３】
図１２で示される実施例でブロック図で表す。高周波増幅回路Ｅにアンテナ２４、バーアンテナ使用で送信機より変調波を増幅させてスーパーヘテロダイン受信機にするためミクサＦを用意し、局部発振回路Ｉで４５５［ｋＨｚ］の中間周波の電力を中間周波増幅回路Ｇで得て、その出力をＩＦＴトランス２５で復調する準備をしますが、図１２で示す接続の仕方をするとダイオード２６、ダイオード２７、コンデンサ２８、抵抗３０、抵抗３１、コンデンサ３４、コンデンサ３５で包絡線検波、復調する。
ここで図１０、ｉ、ｍ点の電圧波形が電力増幅回路Ｂが反転増幅器でその時の図１２の指示点ｊが右チャンネル、Ｒチャンネルの音であり、指示点ｋが左チャンネル、Ｌチャンネルの音である。図１１のもし電力増幅回路Ｂが非反転増幅器であるなら図１２の指示点ｊが左チャンネルの音になり、指示点ｋが右チャンネルの音になる。このような受信機によってスタジオ１、スタジオ４０の指示点ａと指示点ｂの音声電圧信号から音に正確に再生されるのである。
【００２４】
【発明の効果】
本発明は以上説明した通り、受信機でオペアンプ等の増幅装置を使ってスピーカーで放送を聞くことができる。分離度ＬチャンネルとＲチャンネルは高い。そしてインバータＡは８００［ｋＨｚ］と仮に用いているが放送局送信機の放送周波数がインバータＡの周波数になる。また電源については電圧は増幅が可能であるなら適度のボルト数でかまわない。このような回路で無理なく安価にステレオ放送が聞ける送信機、受信機である。
【図面の簡単な説明】
【図１】送信機の変調増幅器で、トランジスターを用いたものでエミッタから変調増幅器の回路の電源を受けているもの。
【図２】送信機について右マイク２で発生する右音声信号電圧信号を表した図である。
【図３】送信機についているインバータＡ、８００［ｋＨｚ］の発信回路のｅ点の電圧波形。
【図４】図１の送信機の右マイク２で発生した電圧を非反転オペアンプで増幅した電圧とバイアス電圧を重畳した電圧信号図である。
【図５】図１の送信機についているインバータＡ、８００［ｋＨｚ］の発振回路のｆ点の電圧波形。
【図６】図１の送信機についている左マイク３で発生する左音声信号電圧を表した図である。
【図７】図４のｃ点の電圧波形を変調増幅回路で増幅した右チャンネル信号電圧を表した図である。
【図８】図１の送信機の左マイク３で発生した電圧を反転オペアンプで増幅した電圧とバイアス電圧を重畳した電圧信号図である。
【図９】図８のｄ点の電圧波形をこの変調増幅した出力電圧の左チャンネル信号電圧を示した図である。
【図１０】送信機でアンテナ２３、６１に結電される電力増幅回路Ｂが反転増幅器の場合の図である。
【図１１】送信機でアンテナ２３、６１に結電される電力増幅回路Ｂが非反転増幅器の場合の図である。
【図１２】受信機でアンテナ２４、バーアンテナで受信した電波を増幅した回路でダイオードと中間周波トランスの出力端子との接合の仕方が両波検波する形の受信機である。
【図１３】図１２の受信機で復調された出力電圧ｊ点の電圧検波を表した図である。右チャンネルの音声信号電圧である。
【図１４】図１２の受信機で復調された出力電圧ｋ点の電圧波形を表した図である。左チャンネルの音声信号電圧である。
【図１５】送信機の変調増幅器でＪ−ＦＥＴを用いたものでソースから変調増幅器の回路の電源を受けているものである。
【図１６】図１５の送信機の右マイク４１で発生した電圧を非反転オペアンプで増幅した電圧とバイアス電圧を重畳した電圧信号図である。
【図１７】図１６のｒ点の電圧波形を変調増幅回路で増幅した右チャンネル信号電圧を表した図である。
【図１８】図１５の送信機の左マイク４２で発生した電圧を反転オペアンプで増幅した電圧とバイアス電圧を重畳した電圧信号図である。
【図１９】図１８のｑ点の電圧波形をこの変調増幅した出力電圧の左チャンネル信号電圧を示した図である。
【符号の説明】
１、　４０　スタジオ
２、　４１　右マイク
３、　４２　左マイク
４、　４３、３６、３７　非反転オペアンプ
５、　５７　反転オペアンプ
３８、３９　スピーカー
１２、１７、２６、２７、４８、５３　ダイオード
８、９、１８、１９、４５、４６、５４、５５　バイアス抵抗
６、７、３２、３３、４４、５６　結合コンデンサー
１１、１６　エミッタ抵抗
４７、５２　ソース抵抗
１０、１５、５９、６０　バイパスコンデンサー
２０、６２　同調コンデンサー
１３、１４　トランジスター
４９、５１　Ｊ−ＦＥＴ
３０、３１　包絡線検波抵抗
２８、２９、３４、３５　包絡線検波コンデンサー
２３、２４、６１　アンテナ
２５　中間周波トランス
Ａ　インバータ
Ｂ　電力増幅回路
Ｄ　電源回路
Ｅ　高周波増幅回路
Ｆ　ミクサ
Ｇ　中間周波増幅回路
【手続補正２】
【補正対象書類名】図面
【補正対象項目名】図１
【補正方法】変更
【補正の内容】
【図１】
2004007363.tif 000032
【手続補正３】
【補正対象書類名】図面
【補正対象項目名】図２
【補正方法】変更
【補正の内容】
【図２】
2004007363.tif 000033
【手続補正４】
【補正対象書類名】図面
【補正対象項目名】図３
【補正方法】変更
【補正の内容】
【図３】
2004007363.tif 000034
【手続補正５】
【補正対象書類名】図面
【補正対象項目名】図４
【補正方法】変更
【補正の内容】
【図４】
2004007363.tif 000035
【手続補正６】
【補正対象書類名】図面
【補正対象項目名】図５
【補正方法】変更
【補正の内容】
【図５】
2004007363.tif 000036
【手続補正７】
【補正対象書類名】図面
【補正対象項目名】図６
【補正方法】変更
【補正の内容】
【図６】
2004007363.tif 000037
【手続補正８】
【補正対象書類名】図面
【補正対象項目名】図７
【補正方法】変更
【補正の内容】
【図７】
2004007363.tif 000038
【手続補正９】
【補正対象書類名】図面
【補正対象項目名】図８
【補正方法】変更
【補正の内容】
【図８】
2004007363.tif 000039
【手続補正１０】
【補正対象書類名】図面
【補正対象項目名】図９
【補正方法】変更
【補正の内容】
【図９】
2004007363.tif 000040
【手続補正１１】
【補正対象書類名】図面
【補正対象項目名】図１０
【補正方法】変更
【補正の内容】
【図１０】
2004007363.tif 000041
【手続補正１２】
【補正対象書類名】図面
【補正対象項目名】図１１
【補正方法】変更
【補正の内容】
【図１１】
2004007363.tif 000042
【手続補正１３】
【補正対象書類名】図面
【補正対象項目名】図１２
【補正方法】変更
【補正の内容】
【図１２】
2004007363.tif 000043
【手続補正１４】
【補正対象書類名】図面
【補正対象項目名】図１３
【補正方法】変更
【補正の内容】
【図１３】
2004007363.tif 000044
【手続補正１５】
【補正対象書類名】図面
【補正対象項目名】図１４
【補正方法】変更
【補正の内容】
【図１４】
2004007363.tif 000045
【手続補正１６】
【補正対象書類名】図面
【補正対象項目名】図１５
【補正方法】変更
【補正の内容】
【図１５】
2004007363.tif 000046
【手続補正１７】
【補正対象書類名】図面
【補正対象項目名】図１６
【補正方法】変更
【補正の内容】
【図１６】
2004007363.tif 000047
【手続補正１８】
【補正対象書類名】図面
【補正対象項目名】図１７
【補正方法】変更
【補正の内容】
【図１７】
2004007363.tif 000048
【手続補正１９】
【補正対象書類名】図面
【補正対象項目名】図１８
【補正方法】変更
【補正の内容】
【図１８】
2004007363.tif 000049
【手続補正２０】
【補正対象書類名】図面
【補正対象項目名】図１９
【補正方法】変更
【補正の内容】
【図１９】
2004007363.tif 000050
【手続補正２１】
【補正対象書類名】図面
【補正対象項目名】図２０
【補正方法】削除
【補正の内容】
【手続補正２２】
【補正対象書類名】図面
【補正対象項目名】図２１
【補正方法】削除
【補正の内容】
【手続補正２３】
【補正対象書類名】図面
【補正対象項目名】図２２
【補正方法】削除
【補正の内容】
【手続補正２４】
【補正対象書類名】図面
【補正対象項目名】図２３
【補正方法】削除
【補正の内容】
【手続補正２５】
【補正対象書類名】図面
【補正対象項目名】図２４
【補正方法】削除
【補正の内容】
【手続補正２６】
【補正対象書類名】図面
【補正対象項目名】図２５
【補正方法】削除
【補正の内容】
【手続補正２７】
【補正対象書類名】図面
【補正対象項目名】図２６
【補正方法】削除
【補正の内容】